(57)【要約】【課題】コード毎にチェンジキーを用意する必要がなく、また、キーの解錠または施錠操作毎にキーおよびシリンダー錠のコードが自動的に変化する偽造困難で安全性の高い可変コード型シリンダー錠装置を提供する。【解決手段】施錠状態でシリンダー錠１０にキー１が挿入されると、キー１のコードリング部４のコード孔３にタンブラーピン２０１Ｃ，２０１Ｄの先端が嵌り込んでシリンダープラグ１４と空転リング１５の回動が許容され、この状態でキー１を回転させることで固定リング４０１が回転しシリンダープラグ１４が回転して解錠状態となり、その際、回転リング４０２と空転リング１５は回転せず、キー１の回転リング４０２のコード孔３が固定リング４０１のコード孔３に対し相対的に回転方向にずれ、シリンダー錠１０の空転リング１５のコード孔３もずれて、解錠前と解錠後でコードが変化するようにする。【選択図】図３
2010144484.tif 000002
【特許請求の範囲】
【請求項１】
少なくとも一部のコードが変化可能なキーと、該キーが挿入される鍵孔を備え、少なくとも一部のコードが変化可能で、前記鍵孔に挿入されたキーの回転により施錠または解錠可能なシリンダー錠とからなる可変コード型シリンダー錠装置であって、
前記キーが前記シリンダー錠の鍵孔に挿入されて回転する施錠動作または解錠動作に伴って該キーのコードおよび前記シリンダー錠のコードが共に変化するよう構成されていることを特徴とする可変コード型シリンダー錠装置。
【請求項２】
前記キーが前記鍵孔から抜かれた時に該キーのコードの変化を規制する規制手段と、前記キーが前記鍵孔に挿入された時に前記規制手段による該キーのコードの変化の規制を解除する規制解除手段を有する請求項１記載の可変コード型シリンダー錠装置。
【請求項３】
前記キーは、キー基部と、前記キー基部に配設され、キーのコードが記録されているとともに、少なくとも一部が動作することでキーのコードの少なくとも一部が変化するキーコード可変設定部とを備え、
前記シリンダー錠は、筒状のシリンダーケースと、前記鍵孔を有し、前記シリンダーケース内に回転可能に挿入されるシリンダープラグと、該シリンダープラグ内に回転可能に挿入され、前記キーコード可変設定部の動作に連動して動作することで前記キーのコードの変化に対応して該錠のコードの少なくとも一部が変化する錠コード可変設定部とを備えることを特徴とする請求項１または２記載の可変コード型シリンダー錠装置。
【請求項４】
前記キーコード可変設定部は、前記キー基部に固定され、外周部にコードが記録されている固定リングと、前記キー基部に対して一方向へ回転可能に取り付けられ、外周部にコードが記録されている回転リングとを有し、前記回転リングの動作に連動して前記錠コード可変設定部が動作することを特徴とする請求項３記載の可変コード型シリンダー錠装置。
【発明の詳細な説明】
【技術分野】
【０００１】
本発明は、キーの施錠解錠動作に伴ってキー側および錠側のコードを変化させることが可能な可変コード型シリンダー錠装置に関する。
【背景技術】
【０００２】
各種建物や部屋や各種機器、乗り物等の開閉や運転制御等に使用されるシリンダー錠装置として、キーが盗まれたり、紛失したり、偽造される恐れがある場合等において、錠全体を交換するのでなく、キーコードを変更して使用できるようにするために、コード変更用のチェンジキーあるいはコード変更後の通常の施錠解錠操作にも使用できるチェンジキーを挿入して操作することで、シリンダー錠側のコードを変更するようにした可変コード型シリンダー錠装置が従来から知られている（例えば、特許文献１参照。）。
【特許文献１】特開２００３−２０１７８０号公報
【発明の開示】
【発明が解決しようとする課題】
【０００３】
しかしながら、上記従来の可変コード型シリンダー錠装置の場合、変更するコード毎に対応するチェンジキーがそれぞれ必要で、多数のキーを所持する必要があった。また、コード変更を行う際にはいちいちチェンジキーを使用して操作しなければならないため、コード変更のレスポンスが悪く、コード変更までに日数がかかることもあって、その間、キーが偽造される等のリスクがあった。また、チェンジキーを使用して操作しない限りシリンダー錠のコードは変化せず、キーのコードも変化しないため、キーの偽造が容易であった。
【０００４】
本発明は、コード毎にチェンジキーを用意する必要がなく、また、キーの解錠または施錠操作毎にキーおよびシリンダー錠のコードが自動的に変化する偽造困難で安全性の高い可変コード型シリンダー錠装置を提供することを目的とする。
【課題を解決するための手段】
【０００５】
本発明の可変コード型シリンダー錠装置は、コード孔の配置が一部変わるなど少なくとも一部のコードが変化可能なキーと、キーが挿入される鍵孔を備え、タンブラーピンの配置が一部変わるなど少なくとも一部のコードが変化可能で、鍵孔に挿入されたキーの回転により施錠または解錠可能なシリンダー錠とからなる可変コード型シリンダー錠装置であって、キーがシリンダー錠の鍵孔に挿入されて回転する施錠動作または解錠動作に伴ってキーのコードおよびシリンダー錠のコードが共に変化するよう構成されていることを特徴とする。
【０００６】
この可変コード型シリンダー錠装置は、キーの施錠動作または解錠動作に伴ってキーのコードおよびシリンダー錠のコードが共に変化するため、偽造困難で、安全性が高く、また、コード毎にチェンジキーを用意する必要がない。
【０００７】
そして、この可変コード型シリンダー錠装置は、キーが鍵孔から抜かれた時にキーのコードの変化を規制する規制手段と、キーが鍵孔に挿入された時に規制手段によるキーのコードの変化の規制を解除する規制解除手段を有するものとするのがよい。
【０００８】
このように構成することで、キー使用されていない時に誤ってキーのコードが変化してしまうことを防ぐことができる。
【０００９】
また、この可変コード型シリンダー錠装置において、キーは、キー基部と、キー基部に配設され、コード孔の配置等によりキーのコードが記録されているとともに、少なくとも一部が動作することでキーのコードの少なくとも一部が変化するキーコード可変設定部とを備え、シリンダー錠は、筒状のシリンダーケースと、鍵孔を有し、シリンダーケース内に回転可能に挿入されるシリンダープラグと、シリンダープラグ内に回転可能に挿入され、前記キーコード可変設定部の動作に連動して動作することで前記キーのコードの変化に対応して、タンブラーピンの配置等による錠のコードの少なくとも一部が変化する錠コード可変設定部とを備えるものとするのがよい。
【００１０】
このように構成することで、キーの施錠動作または解錠動作に伴ってキーのコードおよびシリンダー錠のコードを簡易且つ確実に変化させることができる。
【００１１】
そして、この場合、キーコード可変設定部は、キー基部に固定され、外周部にコードが記録されている固定リングと、キー基部に対して一方向へ回転可能に取り付けられ、外周部にコードが記録されている回転リングとを有し、回転リングの動作に連動して錠コード可変設定部が動作するものとするのがよい。
【００１２】
このように構成することで、キーの施錠動作または解錠動作に伴うコード変更をより簡易で確実なものとすることができる。
【発明の効果】
【００１３】
このように、本発明の可変コード型シリンダー錠装置は、キーの施錠動作または解錠動作に伴ってキーのコードおよびシリンダー錠のコードが共に変化するため、偽造困難で、安全性が高く、また、コード毎にチェンジキーを用意する必要がない点で、有用且つ顕著な効果を奏する。
【発明を実施するための最良の形態】
【００１４】
以下、本発明の実施形態を図面に基づいて説明する。
図１〜図８は本発明の一実施形態に係る可変コード型シンリンダー錠装置を示している。図１は可変コード型シリンダー錠装置のキー未挿入状態の斜視図、図２は図１の可変コード型シリンダー錠装置のキー挿入状態の縦断面構造の模式図、図３は図２のＡ−Ａ断面図、図４は図２のＢ−Ｂ断面図、図５は、図１の可変コード型シリンダー錠装置の施錠状態および該施錠状態から解錠状態へ移行する動作を示すもので、（ａ）は図３と同じＡ−Ａ断面で示す動作図、（ｂ）は図４と同じＢ−Ｂ断面で示す動作図、図６は、図１の可変コード型シリンダー錠装置の、図５の動作により移行した解錠状態および該解錠状態から施錠状態へ移行する動作を示すもので、（ａ）は図３と同じＡ−Ａ断面で示す動作図、（ｂ）は図４と同じＢ−Ｂ断面で示す動作図、図７は、図１の可変コード型シリンダー錠装置の、図６の動作により移行した施錠状態および該施錠状態から解錠状態へ移行する動作を示すもので、（ａ）は図３と同じＡ−Ａ断面で示す動作図、（ｂ）は図４と同じＢ−Ｂ断面で示す動作図、図８は、図１の可変コード型シリンダー錠装置の、図７の動作により移行した解錠状態および該解錠状態から施錠状態へ移行する動作を示すもので、（ａ）は図３と同じＡ−Ａ断面で示す動作図、（ｂ）は図４と同じＢ−Ｂ断面で示す動作図である。
【００１５】
この可変コード型シリンダー錠装置は、後述のコードリング部４のコード孔３の配置によってコードが記録されるキー１と、キー１が挿入される鍵孔１１を有するととともに後述のタンブラーピン２０１Ａ〜２０１Ｄの配置によってコードが記憶されるシリンダー錠１０とで構成される。
【００１６】
キー１は、シリンダー錠１０の鍵孔１１に挿入される円柱状のキー基部２の後方にキー１を手で保持する保持部８が設けられたものである。
【００１７】
そして、キー基部２には、外周に、前後方向（シリンダ軸線方向）に複数（図示の例では５個）の部位に区分けされたコードリング部４（キーコード設定部）が配設されている。
【００１８】
コードリング部４は、キー基部２に完全に固定される複数（図示の例では２個）の固定リング４０１と、キー基部２に対して一方向にのみ回転可能に取り付けられる複数（図示の例では３個）の回転リング４０２からなる複数の部位に区分けされ、それら固定リング４０１と回転リング４０２が交互に配置されたものであって、それら固定リング４０１と回転リング４０２の外周面には、後述するタンブラーピン２０１Ａ〜２０１Ｄが嵌り込むコード孔３が、リング毎にそれぞれ設定された配置で複数設けられている。
【００１９】
回転リング４０２は、キー基部２に対して一方向の回転が規制され、反対方向には回転が許容されるもので、図示の実施形態では、キー１の後方（保持部側）から前方（先端側）へ向けて見たときの時計回りの方向（以下、単に「時計回り」という。）には回転が規制され、反時計回りの方向（以下、単に「反時計回り」という。）には回転が許容されている。
【００２０】
このように回転リング４０２の一方向の回転を規制し反対方向の回転を許容する手段としては、ワンウェイクラッチの方式を利用してもよく、また、固定リング４０１と回転リング４０２の互いに対向する環状の接触面に、円周方向の一側が傾斜面で他側が接触面に垂直な垂直面を有する同一寸法の三角形状の突起を、円周方向に同一のピッチで、一方の接触面の突起と他方の接触面の突起とで三角形状の傾斜面と垂直面の位置が逆となるように設け、回転リング４０２の一方向への回転に際しては、両接触面の突起の傾斜面同士が摺接して回転リング４０１の回転を許容し、回転リング４０２の反対方向への回転については、両接触面の突起の垂直面同士が当接して回転を規制するようにしてもよい。
【００２１】
また、キー基部２の外周部には、キー前後方向の略全域に渡って直線状に延びキー後方側（保持部側）の大径部で穴状となったガイド溝２１が設けられ、このガイド溝２１に、コードリング体４との間をキー前後方向にスライド移動可能に棒状の回転規制部材６（規制手段）が嵌め込まれている。
【００２２】
そして、回転リング４０２には、内周側に内突起４０３が設けられている。また、固定リング４０１にも同様の内突起４０４が設けられている。
【００２３】
回転規制部材６は、回転リング４０２の内周側に設けられた内突起４０３に当接して内突起４０３を係止し回転リング４０２の回転を規制する規制部６０１と、回転リング４０２の回転を許容するよう回転リング４０２の内突起４０３と干渉しない大きさに切り欠かれた切欠である許容部６０２を備え、規制部６０１が回転リング４０２の内突起４０３と当接して内突起４０３を係止し回転リング４０２の回転を規制する規制位置と、許容部６０２が回転リング４０２の内突起４０３を回転方向に通過させて回転リング４０２の回転を許容する許容位置とに、前後スライド移動可能である。
【００２４】
そして、回転規制部材６は、キー後方側からバネ部材７で付勢され、常時は前方へスライド移動した状態で、規制部６０１が回転リング４０２の内突起４０３に当接して内突起４０３を係止し回転リング４０２の回転を規制する規制位置を保っている。
【００２５】
固定リング４０１は、回転規制部材６の移動位置にかかわらず回転規制部材６の規制部６０１に当接して係止される。
【００２６】
また、キー１には、保持部８の前端側に、キー径方向に突出しキー基部２の外周面に沿って前方側へ延びる連結突起９が形成されている。この連結突起９は、キー挿入時に、シリンダー１０の鍵孔１１に設けられた連結孔部１２に嵌まり込み、後述するシリンダープラグ１４をキー１の回転に連動させる。
【００２７】
シリンダー錠１０は、シリンダーケース１３（外筒）と、シリンダーケース１３内に回転可能に嵌り込む、キー１を挿入する鍵孔１１を有するシリンダープラグ１４（内筒）と、シリンダープラグ１４内に嵌り込み、キー１が挿入された時にキー１の回転リング４０２に対応する位置でシリンダープラグ１４に対し一方向に回転可能となる複数（図示の例では３個）の空転リング１５を備えている。そして、シリンダープラグ１４の後方側の端部には、鍵孔１１の径方向両側に、キー１の連結突起９が嵌まり込む連結孔部１２が設けられている。
【００２８】
シリンダープラグ１４は、シリンダー軸線を含む面で分割された一対の半円筒部材が円筒状に組み合わさってなるもので、シリンダー前方側（キー挿入方向の前方側）の端部中央に、シリンダーケース１３の前端部に回転可能に支持される回転支持部２２が設けられている。
【００２９】
そして、シリンダープラグ１４の内側には、キー挿入時の各回転リング４０２に対応する互にシリンダー軸線方向に間隔を置いた複数の位置（図示の例では３箇所）に、鍵孔１１の一部を拡径した形で空転リング挿入溝１８が設けられている。空転リング１５は、これら複数の空転リング挿入溝１８に嵌まり込み、シリンダープラグ１４に対し、シリンダー１０の後方（キー後方）から前方（キー前方）へ向けて見たときの時計回り方向の回転が規制され、反時計回り方向の回転が許容されている。
【００３０】
空転リング１５の一方向の回転を規制し反対方向の回転を許容する手段としては、ワンウェイクラッチの方式を利用してもよく、また、シリンダープラグ１４と空転リング１５の互いに対向する環状の接触面に、円周方向の一側が傾斜面で他側が接触面に垂直な垂直面を有する同一寸法の三角形状の突起を、円周方向に同一のピッチで、一方の接触面の突起と他方の接触面の突起とで三角形状の傾斜面と垂直面の位置が逆となるように設け、空転リング１５の一方向への回転に際しては、両接触面の突起の傾斜面同士が摺接して空転リング１５の回転を許容し、空転リング１５の反対方向への回転については、両接触面の突起の垂直面同士が当接して回転を規制するようにしてもよい。
【００３１】
そして、シリンダーケース１３の内周部には、シリンダープラグ１４の周壁部の、キー挿入時に固定リング４０１に対応する位置でキー１のコードに対応する位置（回転方向の位置）に対応して、ドライバー孔１６０が所定角度（解錠施錠時のキー回転角度）を隔てて複数個（図示の例では２個）設けられて、ドライバーピン１６１Ｉ，１６１Ｊと、これらドライバーピン１６１Ｉ，１６１Ｊをドライバー孔１６０から突出させるようにシリンダー軸心側へ向けて付勢するバネ部材１７が挿入され、キー挿入時に回転リング４０２に対応する空転リング１５が嵌め込まれた空転リング挿入溝１８に対応する位置でキー１のコードに対応する位置（回転方向の位置）に対応して、ドライバー孔１６０が所定角度（解錠施錠時のキー回転角度）毎に複数個（図示の例では８個）設けられて、ドライバーピン１６１Ａ〜１６１Ｈと、これらドライバーピン１６１Ａ〜１６１Ｈをドライバー孔１６０から突出させるようにシリンダー軸心側へ向けて付勢するバネ部材１７が挿入されている。
【００３２】
また、シリンダープラグ１４の前端部内側には、キー挿入時にキー１の先端に位置する回転規制部材６の先端部に当接して回転規制部材６をバネ部材７に抗してキー後方へと押し込む回転規制解除突起１９（規制解除手段）が設けられている。キー１がシリンダー１０の鍵孔１１に挿入されると、回転規制部材６が回転規制解除突起１９によって押し込められ、許容部６０２が回転リング４０２の内突起４０３を回転方向に通過させて回転リング４０２の回転を許容する許容位置へと移動する。キーを挿し込むとこうして自動的に回転リング４０２の回転が許容される状態となる。
【００３３】
そして、シリンダープラグ１４の周壁部には、キー挿入時に各固定リング４０１に対応する部位の、キー１のコードに対応する位置（回転方向の位置）に対応して、周壁部を内周側から外周側まで貫通するタンブラー孔２００が所定角度（解錠施錠時のキー回転角度）ずれて複数個（図示の例では２個）設けられている。そして、これらのタンブラー孔２００に、キー１のコード孔３に嵌り込むようタンブラーピン２０１Ｃ，２０１Ｄが挿入されている。
【００３４】
また、シリンダープラグ１４の周壁部には、キー挿入時に各回転リング４０２に対応する空転リング１５が嵌め込まれた空転リング挿入溝１８を有する部位の、キー１のコードに対応する位置（回転方向の位置）に対応し、シリンダーケース１３のドライバー孔１６０に対応して、中間孔３００が所定角度（解錠施錠時のキー回転角度）毎に複数（図示の例では８個）設けられている。そして、これらの中間孔３００に、ドライバーピン１６１Ａ〜１６１Ｈとタンブラーピン２０１Ａ〜２０１Ｈとの間に位置する中間ピン３０１Ａ〜３０１Ｈが挿入されている。中間ピン３０１Ａ〜３０１Ｈの長さは、中間孔３００の深さとほぼ同じである。
【００３５】
そして、空転リング１５には、キー挿入時に回転リング４０２に対応する位置の、キー１のコードに対応する位置（回転方向の位置）に対応し、シリンダーケース１３のドライバー孔１６０およびシリンダープラグ１４の中間孔３００に対応して、周壁部を内周側から外周側まで貫通するタンブラー孔２００が所定角度（解錠施錠時のキー回転角度）を隔てて複数個（図示の例では２個）設けられて、キー１のコード孔３に嵌り込むようタンブラーピン２０１Ａ，２０１Ｂが挿入されている。
【００３６】
施錠位置と解錠位置では、固定リング４０１に対応する位置のタンブラーピン２０１Ｃ，２０１Ｄが、それぞれドライバーピン１６１Ｉ，１６１Ｊのいずれかと一列に並び、回転リング４０２に対応する位置のタンブラーピン２０１Ａ，２０１Ｂが、それぞれ中間ピン３０１Ａ〜３０１Ｈのいずれかおよびドライバーピン１６１Ａ〜１６１Ｈのいずれかと一列に並ぶ。
【００３７】
そして、コード設定の正しいキー１が挿入されると、キー１のコードリング部４の各部位のコード孔３にタンブラーピン２０１Ａ〜２０１Ｄが嵌り込み、この時のタンブラーピン２０１Ａ〜２０１Ｄの突出位置で、タンブラーピン２０１Ａ〜２０１Ｄの外側端面とタンブラー孔２００の外側開口面（シリンダープラグ１４または空転リング１５の外周面）が一致し、中間ピン３０１Ａ〜３０１Ｈの外側端面と中間孔３００の外側開口面（シリンダープラグ１４の外周面）および中間ピン３０１Ａ〜３０１Ｈの内側端面と中間孔３００の内側開口面（シリンダープラグ１４の内周面）が一致し、ドライバーピン１６１Ａ〜１６１Ｊの内側端面とドライバー孔１６０の内側開口面（シリンダーケース１３の内周面）が一致して、シリンダープラグ１４および空転リング１５の回動が許容され、キー１を回すことが可能となる。
【００３８】
一方、キー１のコード設定が正しくない場合には、コードの深さや位置が正しい設定のコードと異なるため、タンブラーピン２０１Ａ〜２０１Ｄがシリンダープラグ１４および空転リング１５の回動を許容する位置に突出せず、そのため、タンブラーピン２０１Ａ〜２０１Ｄの外側端面とタンブラー孔２００の外側開口面（シリンダープラグ１４または空転リング１５の外周面）、中間ピン３０１Ａ〜３０１Ｈの外側端面と中間孔３００の外側開口面（シリンダープラグ１４の外周面）および中間ピン３０１Ａ〜３０１Ｈの内側端面と中間孔３００の内側開口面（シリンダープラグ１４の内周面）、ドライバーピン１６１Ａ〜１６１Ｊの内側端面とドライバー孔１６０の内側開口面（シリンダーケース１３の内周面）が一致せず、タンブラーピン２０１Ａ〜２０１Ｄ、中間ピン３０１Ａ〜３０１Ｈ、ドライバーピン１６１Ａ〜１６１Ｊによってシリンダープラグ１４および空転リング１５の回動が規制され、キー１を回すことができなくなる。尚、各ピンの内方とはシリンダー中心側に向く方向、外方とはシリンダー外周側に向く方向を指している。
【００３９】
次に、この可変コード型シリンダー錠の解錠施錠動作とコード変更動作の詳細を、図５〜図８を参照して説明する。
【００４０】
まず、図５に示す施錠状態でキー１を挿入して解錠状態へと操作する場合、キー１がシリンダー錠１０の鍵孔１１に挿入されると、タンブラーピン２０１Ａ〜２０１Ｄが、鍵孔１１の中心方向へ大きく突出した初期位置からタンブラー孔２００へと押し込まれる。
【００４１】
そして、キー１のコード設定が正しい場合は、キー１のコードリング部４の各部位のコード孔３にタンブラーピン２０１Ａ〜２０１Ｄの先端が嵌り込んで、タンブラーピン２０１Ａ〜２０１Ｄの外側端面とタンブラー孔２００の外側開口面（シリンダープラグ１４または空転リング１５の外周面）が一致し、中間ピン３０１Ａ〜３０１Ｈの外側端面と中間孔３００の外側開口面（シリンダープラグ１４の外周面）および中間ピン３０１Ａ〜３０１Ｈの内側端面と中間孔３００の内側開口面（シリンダープラグ１４の内周面）が一致し、ドライバーピン１６１Ａ〜１６１Ｊの内側端面とドライバー孔１６０の内側開口面（シリンダーケース１３の内周面）が一致して、シリンダープラグ１４および空転リング１５の回動が許容される。これにより、キー１が回転可能となる。
【００４２】
そして、キー１が鍵孔１１に挿入されたことにより、回転規制部材６がシリンダープラグ１４に設けられている回転規制解除突起１９に当接してキー後方へと押し込まれ、回転規制部材６の許容部６０２が回転リング４０２の内突起４０３の位置へと移動して、回転リング４０２の回転が許容される。この状態で、キー１を時計回りに４５度回転させることによる解錠操作が可能となる。
【００４３】
つまり、この状態でキー１を時計回りに４５度回転させると、固定リング４０１が時計回りに回転し、それに伴って、キー１の固定リング４０１の位置のコード孔３に嵌り込んでいるタンブラーピン２０１Ｃ，２０１Ｄが、タンブラーピン２０１Ｃ，２０１Ｄが挿入されているタンブラー孔２００を備えるシリンダープラグ１４と共に時計回りに４５度回転する。そして、シリンダープラグ１４の回転によって解錠される。その際、キー１の回転リング４０２は、キー基部２に対して反時計回りの方向の回転が許容されるため、キー１の時計回りの回転に連動せず、そのままの位置にとどまる（キー基部２に対し回転リング４０２は反時計回りに４５度回転したことになる。）。また、タンブラーピン２０１Ａ，２０１Ｂが挿入されているタンブラー孔２００を備える空転リング１５も、回転リング４０２と共にそのままの位置にとどまる。
【００４４】
こうして、図６に示す解錠状態となる。
【００４５】
そして、この可変コード型シリンダー錠装置は、解錠状態でキー１を抜くと、回転規制解除突起１９に当接してキー後方へ押し込まれていた回転規制部材６がバネ部材７の付勢力によりキー前方へとスライド移動し、回転規制部材６の規制部６０１が回転リング４０２の内突起４０３に当接して内突起４０３を係止する位置へと移動して、回転リング４０２の回転を規制する。これにより、キー１のコード変化が規制される。
【００４６】
解錠状態でキー１が抜かれると、このように、キー１は、解錠する前と比較して、回転リング４０２のコード孔３の位置が、固定リング４０１のコード孔３に対し相対的に反時計回りに４５度ずれた状態となり、また、シリンダー錠１０側の空転リング１５の位置のコード孔３の位置も、反時計回りに４５度ずれた状態となって、解錠前と解錠後でコードが変化する。
【００４７】
また、図６に示す解錠状態でキー１を挿入して施錠状態へと操作する場合は、キー１がシリンダー錠１０の鍵孔１１に挿入されると、タンブラーピン２０１Ａ〜２０１Ｄが、鍵孔１１の中心方向へ大きく突出した初期位置からタンブラー孔２００へと押し込まれる。
【００４８】
そして、そのキー１のコード設定が正しい場合は、キー１のコードリング部４の各部位のコード孔３にタンブラーピン２０１Ａ〜２０１Ｄの先端が嵌り込んで、タンブラーピン２０１Ａ〜２０１Ｄの外側端面とタンブラー孔２００の外側開口面（シリンダープラグ１４または空転リング１５の外周面）が一致し、中間ピン３０１Ａ〜３０１Ｈの外側端面と中間孔３００の外側開口面（シリンダープラグ１４の外周面）および中間ピン３０１Ａ〜３０１Ｈの内側端面と中間孔３００の内側開口面（シリンダープラグ１４の内周面）が一致し、ドライバーピン１６１Ａ〜１６１Ｊの内側端面とドライバー孔１６０の内側開口面（シリンダーケース１３の内周面）が一致して、シリンダープラグ１４および空転リング１５の回動が許容される。これにより、キー１が回転可能となる。
【００４９】
そして、キー１が鍵孔１１に挿入されたことにより、回転規制部材６がシリンダープラグ１４に設けられている回転規制解除突起１９に当接してキー後方へと押し込まれ、回転規制部材６の許容部６０２が回転リング４０２の内突起４０３の位置へと移動して、回転リング４０２の回転が許容される。この状態で、キー１を反時計回りに４５度回転させることによる施錠操作が可能となる。
【００５０】
つまり、この状態でキー１を反時計回りに４５度回転させると、固定リング４０１が反時計回りに回転し、それに伴って、キー１の固定リング４０１の位置のコード孔３に嵌り込んでいるタンブラーピン２０１Ｃ，２０１Ｄが、タンブラーピン２０１Ｃ，２０１Ｄが挿入されているタンブラー孔２００を備えるシリンダープラグ１４と共に反時計回りに４５度回転する。そして、シリンダープラグ１４の回転によって施錠される。また、キー１の回転リング４０２は、キー基部２に対して反時計回りの方向の回転が許容されるが、時計回りの回転は規制されるため、固定リング４０１と同様にキー１の回転に伴って反時計回りに４５度回転する。また、タンブラーピン２０１Ａ，２０１Ｂが挿入されているタンブラー孔２００を備える空転リング１５も、反時計回りに４５度回転する。
【００５１】
こうして、図７に示す施錠状態となる。
【００５２】
そして、この施錠状態でキー１を抜くと、回転規制解除突起１９に当接してキー後方へ押し込まれていた回転規制部材６がバネ部材７の付勢力によりキー前方へとスライド移動し、回転規制部材６の規制部６０１が回転リング４０２の内突起４０３に当接して内突起４０３を係止する位置へと移動して、回転リング４０２の回転を規制する。これにより、キー１のコード変化が規制される。
【００５３】
また、図７の施錠状態から解錠状態へと操作すると、図５の施錠状態からの解錠操作と同様で、固定リング４０１が時計回りに回転し、それに伴って、キー１の固定リング４０１の位置のコード孔３に嵌り込んでいるタンブラーピン２０１Ｃ，２０１Ｄが、タンブラーピン２０１Ｃ，２０１Ｄが挿入されているタンブラー孔２００を備えるシリンダープラグ１４と共に時計回りに４５度回転して、解錠され、図８に示す解錠状態となる。
【００５４】
そして、この状態でキー１が抜かれると、やはり、キー１は、解錠する前と比較して、回転リング４０２のコード孔３の固定リング４０１のコード孔３に対する相対位置が反時計回りに４５度ずれた状態となり、また、シリンダー１０側の空転リング１５の位置のコード孔３の位置も、反時計回りに４５度ずれた状態となって、解錠前と解錠後でコードが変化する。
【００５５】
このように、施錠状態でキー１が抜かれたときは、キー１のコード設定は施錠する前と比較して変化せず、回転リング４０２のコード孔３の固定リング４０１のコード孔３に対する相対位置も変化せず、施錠前と施錠後とでコード設定は変化しない。つまり、施錠状態でキーを挿入して、解錠操作を行い、次いで施錠操作という一連の操作を行うと、まず、解錠操作で、固定リング４０１の位置のコードはそのまま維持されて、回転リング４０２の位置のコードはコード位置が反時計回りの方向へ４５度ずれ、その後の施錠操作では、固定リング４０１および回転リング４０２の位置のコードが解錠操作時の設定のまま維持される。そして、この一連の解錠施錠動作を繰り返すと、回転リング４０２の位置のコードのみが４５度ずつずれていき、コードが変化していく。
【００５６】
なお、本実施形態では、回転リング４０２の回転許容方向が反時計回りで、回転規制方向が時計回りとなっているが、回転リング４０２の回転許容方向が時計回りで、回転規制方向が反時計回りとなるようにしてもよく、そうすることで、キー１の施錠操作時にはコードが変化せず、キー１の解錠操作時にコードが変化するようにできる。
【００５７】
また、施錠解錠動作の回転角度は４５度に限るものではなく、例えば９０度、１８０度、３６０度とするなど、適宜変更することも可能である。
【００５８】
また、本実施形態では、キー１の固定リング４０１と回転リング４０２が交互に配置されているが、回転リング４０２が連続して並ぶ配置であってもよい。この場合も、シリンダー錠１０の空転リング１５は、キー１の挿入時にキー１の回転リング４０２が配置される位置に設けられる。
【００５９】
また、キー１の回転リング４０２の回転を規制する回転規制部材６の前後方向のスライド動作の動作範囲内で、所定距離分だけキー１の後方側へ押し込まれた時にのみ許容部６０２が回転リング４０２の内突起４０３の位置にくるようにするとともに、シリンダー錠１０側の回転規制解除突起１９をこの所定距離分だけ突出させて、回転規制部材６がこの所定距離分だけ押し込まれた時にのみキー１の回転リング４０２の回転規制が解除されるようにすることで、悪戯でキー１の回転規制部材６を押し込む操作がなされたとしても、上記所定距離分だけ押し込まれたのではない限り、回転規制部材６をキーの１後方側へ押し込みすぎても、押し込みが足りなくても許容部６０２が回転リング４０２の内突起４０３の位置から外れて、回転リング４０２の回転規制が解除されないようになり、悪戯や間違った操作によって回転リング４０２の回転規制が解除されるのを防ぐことができる。
【図面の簡単な説明】
【００６０】
【図１】本発明の一実施形態に係る可変コード型シリンダー錠装置のキー未挿入状態の斜視図である。
【図２】図１の可変コード型シリンダー錠装置のキー挿入状態の縦断面構造の模式図である。
【図３】図２のＡ−Ａ断面図である。
【図４】図２のＢ−Ｂ断面図である。
【図５】図１の可変コード型シリンダー錠装置の施錠状態および該施錠状態から解錠状態へ移行する動作を示すもので、（ａ）は図３と同じＡ−Ａ断面で示す動作図、（ｂ）は図４と同じＢ−Ｂ断面で示す動作図である。
【図６】図１の可変コード型シリンダー錠装置の、図５の動作により移行した解錠状態および該解錠状態から施錠状態へ移行する動作を示すもので、（ａ）は図３と同じＡ−Ａ断面で示す動作図、（ｂ）は図４と同じＢ−Ｂ断面で示す動作図である。
【図７】図１の可変コード型シリンダー錠装置の、図６の動作により移行した施錠状態および該施錠状態から解錠状態へ移行する動作を示すもので、（ａ）は図３と同じＡ−Ａ断面で示す動作図、（ｂ）は図４と同じＢ−Ｂ断面で示す動作図である。
【図８】図１の可変コード型シリンダー錠装置の、図７の動作により移行した解錠状態および該解錠状態から施錠状態へ移行する動作を示すもので、（ａ）は図３と同じＡ−Ａ断面で示す動作図、（ｂ）は図４と同じＢ−Ｂ断面で示す動作図である。
【符号の説明】
【００６１】
１  キー
２  キー基部
３  コード孔
４  コードリング部
４０１  固定リング
４０２  回転リング
４０３  内突起
４０４  内突起
６  回転規制部材
６０１  規制部
６０２  許容部
７  バネ部材
８  保持部
９  連結突起
１０  シリンダー錠
１１  鍵孔
１２  連結孔部
１３  シリンダーケース
１４  シリンダープラグ
１５  空転リング
１６０  ドライバー孔
１６１Ａ〜Ｊ  ドライバーピン
１７  バネ部材
１８  空転リング挿入溝
１９  回転規制解除突起
２１  ガイド溝
２００  タンブラー孔
２０１Ａ〜２０１Ｄ  タンブラーピン
３００  中間孔
３０１Ａ〜３０１Ｈ  中間ピン
【図１】
2010144484.tif 000003
【図２】
2010144484.tif 000004
【図３】
2010144484.tif 000005
【図４】
2010144484.tif 000006
【図５】
2010144484.tif 000007
【図６】
2010144484.tif 000008
【図７】
2010144484.tif 000009
【図８】
2010144484.tif 000010